(57)【特許請求の範囲】
【請求項１】
電話回線の制御を行なう網制御装置と少なくとも１つの端末装置との間の情報のやりとりを、それぞれ網制御装置側および端末装置側に設けられた無線装置を介して無線により行なう電話回線利用端末システムにおいて、
前記網制御装置および前記網制御装置側の無線装置に設けられ、互いに相手を結合・離脱させる結合・離脱手段と、
この結合・離脱手段により前記網制御装置および無線装置が結合して一体化したときに、両装置間に信号路を形成する信号路形成手段と、
を有し、
前記結合・離脱手段は、両装置の結合面に互いに嵌合可能に形成された凹凸構造の螺旋ねじからなるねじ込み機構であることを特徴とする電話回線利用端末システム。
【請求項２】
電話回線の制御を行なう網制御装置と少なくとも１つの端末装置との間の情報のやりとりを、それぞれ網制御装置側および端末装置側に設けられた無線装置を介して無線により行なう電話回線利用端末システムにおいて、
前記網制御装置および前記網制御装置側の無線装置に設けられ、互いに相手を結合・離脱させる結合・離脱手段と、
この結合・離脱手段により前記網制御装置および無線装置が結合して一体化したときに、両装置間に信号路を形成する信号路形成手段と、
を有し、
前記結合・離脱手段は、両装置の結合面に互いに嵌合可能に形成された凹凸構造であり、前記網制御装置または無線装置の一方に設けられ、前記網制御装置または無線装置の他方を収容固定し、
さらに、前記網制御装置および無線装置を覆う蓋を有することを特徴とする電話回線利用端末システム。
【請求項３】
前記信号路形成手段は、前記網制御装置および無線装置の結合面に設けられ、両装置が一体化したときに互いに接触する電極であることを特徴とする請求項１または請求項２記載の電話回線利用端末システム。
【請求項４】
前記信号路形成手段は、前記網制御装置および無線装置が一体化したときに対向するように両装置の結合面に設けられた窓と、この窓を通して光による信号のやりとりを行なう両装置に設けられた光電変換部とを有することを特徴とする請求項１または請求項２記載の電話回線利用端末システム。
【発明の詳細な説明】
【０００１】
【発明の属する技術分野】
本発明は、網制御装置と少なくとも１つの端末装置との間の情報のやりとりを、それぞれ網制御装置側および端末装置側に設けられた無線装置を介して無線により行なう電話回線利用端末システムに関する。
【０００２】
【従来の技術】
例えば電気、ガス、水道等の自動検針システムにみられるように、複数の端末装置とセンタ装置との間の情報のやりとりを網制御装置を介して電話回線を用いて行なうシステムが提案されるに至っている。そして、このようなシステムにおいては、センタ装置による端末装置の監視効率の向上という観点から、１台の網制御装置に接続される端末装置の数が増大し、またこれに伴い端末装置の設置場所も網制御装置から離反する傾向にある。このため、網制御装置と端末装置との間の情報のやりとりを、両装置側に無線装置を配備して無線で行なうことが検討されるに至っている。
【０００３】
ところで、近年の電話通信技術の発展に伴い、電話回線として、従来からのノーリンギング回線だけでなく、ＩＳＤＮ回線を用いることも可能な環境となっている。各回線においては、当然のことながら、伝送されるデータの種類が異なり、特に、ＩＳＤＮ回線においてはアナログ通信およびデジタル通信によっても異なる。このため、電話回線に接続され、電話回線の制御を行なう網制御装置についても、接続される電話回線の種類毎に異なるものとならざるを得ない。
【０００４】
【発明が解決しようとする課題】
このように、電話回線の種類毎に網制御装置が異なることから、前述した如く網制御装置と端末装置との間を無線装置を介して行なおうとする場合、次のような問題がある。
【０００５】
網制御装置とこの網制御装置側の無線装置（以下、適宜「無線装置親機」と呼ぶ）とを一個の筐体で構成した場合には、電話回線の変更に伴い、網制御装置の交換と共に無線装置親機をも交換しなければならず、非効率である。
【０００６】
また、網制御装置と無線装置親機とを別個とした場合には、両装置を個別に設置した後、両装置間の配線工事をしなければならず、設置工事に手間がかかり、加えて設置場所のスペースを縮少することができない。
【０００７】
本発明は、上記に鑑みてなされたもので、その目的としては、電話回線の変更に伴う網制御装置の交換を無線装置親機に影響を与えることなく容易に行なえると共に、網制御装置と無線装置親機の設置スペースの縮少に寄与し得る電話回線利用端末システムを提供することにある。
【０００８】
【課題を解決するための手段】
上記目的を達成するため、請求項１記載の本発明は、電話回線の制御を行なう網制御装置と少なくとも１つの端末装置との間の情報のやりとりを、それぞれ網制御装置側および端末装置側に設けられた無線装置を介して無線により行なう電話回線利用端末システムにおいて、前記網制御装置および前記網制御装置側の無線装置に設けられ、互いに相手を結合・離脱させる結合・離脱手段と、この結合・離脱手段により前記網制御装置および無線装置が結合して一体化したときに、両装置間に信号路を形成する信号路形成手段とを有し、前記結合・離脱手段が、両装置の結合面に互いに嵌合可能に形成された凹凸構造の螺旋ねじからなるねじ込み機構であることを要旨とする。
【０００９】
請求項１記載の発明では、網制御装置と無線装置を別体にて構成する一方、結合・離脱手段を設けて互いに結合して一体化可能としたことで、電話回線が変更されても網制御装置だけを新たに交換すればよい。
【００１０】
請求項２記載の本発明は、電話回線の制御を行なう網制御装置と少なくとも１つの端末装置との間の情報のやりとりを、それぞれ網制御装置側および端末装置側に設けられた無線装置を介して無線により行なう電話回線利用端末システムにおいて、前記網制御装置および前記網制御装置側の無線装置に設けられ、互いに相手を結合・離脱させる結合・離脱手段と、この結合・離脱手段により前記網制御装置および無線装置が結合して一体化したときに、両装置間に信号路を形成する信号路形成手段とを有し、前記結合・離脱手段が、両装置の結合面に互いに嵌合可能に形成された凹凸構造であり、前記網制御装置または無線装置の一方に設けられ、前記網制御装置または無線装置の他方を収容固定し、さらに、前記網制御装置および無線装置を覆う蓋を有することを要旨とする。
【００１３】
請求項２記載の発明においても、網制御装置と無線装置を別体にて構成する一方、互いに結合して一体化可能としたことで、電話回線が変更されても網制御装置だけを新たに交換すればよい。
【００１４】
請求項３記載の本発明は、請求項１または請求項２記載の発明において、前記信号路形成手段が、前記網制御装置および無線装置の結合面に設けられ、両装置が一体化したときに互いに接触する電極であることを要旨とする。
【００１５】
請求項４記載の本発明は、請求項１または請求項２記載の発明において、前記信号路形成手段が、前記網制御装置および無線装置が一体化したときに対向するように両装置の結合面に設けられた窓と、この窓を通して光による信号のやりとりを行なう両装置に設けられた光電変換部とを有することを要旨とする。
【００１６】
請求項３乃至４記載の発明では、網制御装置および無線装置を結合して一体化することで、自動的に両装置間の信号路が形成される。
【００１７】
【発明の実施の形態】
以下、図面を用いて、本発明の実施の形態を説明する。
【００１８】
図１および図２は、本発明の第１の実施の形態に係る電話回線利用端末システムの構成を示す図である。その特徴としては、結合面を構成する一面に凸部１が形成された網制御装置３および結合面を構成する一面に凹部５が形成された無線装置親機７を別体として構成し、網制御装置３と無線装置親機７とをこの凸部１および凹部５を互いに嵌合してスライドさせることで一体化できるようにすると共に、一体化したときに網制御装置３と無線装置親機７との間で自動的に信号路が形成されるように、凸部１および凹部５の所定の位置にそれぞれ電極９および電極１１を設けたことにある。ここで、凸部１および凹部５の嵌合スライド面には、傾斜をつけることが好ましい。なお、図１および図２において、１３は電話回線（図示せず）が接続されるモジュラジャック、１５は電話機（図示せず）が接続されるモジュラジャックである。また、電極９および電極１１は、それぞれ網制御装置３および無線装置親機７のインタフェース回路１７，１９に接続されている。
【００１９】
図３は、網制御装置３と無線装置親機７を一体化した状態でのデータ伝送時の回路状態を示すもので、（ａ）は網制御装置３から無線装置親機７へのデータ伝送時、（ｂ）はその逆の時を示している。すなわち、（ａ）の状態においては、網制御装置３の第１のフォトカプラ２１のダイオード２１ａが電話回線側からのデータによってオン−オフすると、これにより第１のフォトカプラ２１のフォトトランジスタ２１ｂもオン−オフし、このオン−オフに応じて無線装置親機７の受信入力信号はグランドレベルとＶC レベルに変化する。すなわち、オンの時には、グランドレベルになり、オフの時には、ＶC レベルになる。一方、（ｂ）の状態においては、無線装置親機７の第２のスイッチ２３がａ接点側に接続されて接地され、第１のスイッチ２５がオン−オフすることにより、網制御装置３の第２のフォトカプラ２７のダイオード２７ａに電流Ｉ１が流れ、これにより第２のフォトカプラ２７のフォトトランジスタ２７ｂがオン−オフする。この結果、無線装置親機７の第１のスイッチ２５がｂ接点側に接続されてＶC レベルとなった場合には、第２のフォトカプラ２７のフォトトランジスタ２７ｂのコレクタからの受信入力信号がグランドレベルになり、また第１のスイッチ２５がａ接点側に接続されてグランドレベルになった場合には、第２のフォトカプラ２７のフォトトランジスタ２７ｂのコレクタからの受信入力信号がＶD レベルになる。
【００２０】
したがって、本実施の形態によれば、網制御装置に接続されている電話回線の変更があった場合には、網制御装置のみを新たな電話回線に対応する網制御装置に交換すればよく、無線装置親機に何ら影響を与えることがない。また、網制御装置と無線装置親機を一体化するだけで両者間において信号路が形成されるので、両装置間での配線を別個行なう必要がなく、設置工事の手間を省き、さらに設置スペースの縮少化を図ることができる。
【００２１】
なお、上記実施の形態では、凸部１を網制御装置３に、凹部５を無線装置親機７にそれぞれ形成したが、逆でも構わない。
【００２２】
また、上記実施の形態では、電極９を凸部１と同一面内に、電極１１を凹部５と同一面内にそれぞれ設けたが、網制御装置３および無線装置親機７における結合面のどこかであればよい。
【００２３】
図４乃至図６は、本発明の第２の実施の形態に係る電話回線利用端末システムの構成を示す図である。その特徴としては、結合面を構成する一面に外周囲がねじ部３０となっている凸部３１が形成された網制御装置３３および結合面を構成する一面に内周囲がねじ部３４となっている凹部３５が形成された無線装置親機３７を別体として構成し、網制御装置３３と無線装置親機３７とをこの凸部３１および凹部３５のねじ部３０，３４において互いに嵌合してねじ込むことで一体化できるようにすると共に、一体化したときに網制御装置３３と無線装置親機３７との間で自動的に信号路が形成されるように、凸部３１および凹部３５の所定の位置にそれぞれ電極９および電極１１を設けたことにある。なお、図４乃至図６において、図１乃至図３と同一構成には同一の符号を示す。
【００２４】
したがって、本実施の形態においても、前記第１の実施の形態と同様の効果を奏することができる。
【００２５】
図７および図８は、本発明の第３の実施の形態に係る電話回線利用端末システムの構成を示す図である。その特徴としては、網制御装置４１に別体で構成した無線装置親機４３を収容固定する空間４５を設けることで一体化できるようにすると共に、一体化したときに網制御装置４１と無線装置親機４３との間で自動的に信号路が形成されるように、両者所定の位置にそれぞれ電極９および電極１１を設けたことにある。なお、図７および図８には、特に図示していないが、空間４５には、無線装置親機４３を規定の位置に誘導し固定するための手段が設けられている。また、図７および図８において、４７はスライド式の蓋であり、さらに図１乃至図３と同一構成には同一の符号を示す。
【００２６】
したがって、本実施の形態においても、前記第１の実施の形態と同様の効果を奏することができる。
【００２７】
なお、上記実施の形態においては、網制御装置４１に空間４５を設けたが、無線装置親機に空間を設けて網制御装置を収容固定するようにしてもよいことは言うまでもない。
【００２８】
一方、上述した各実施の形態においては、一体化したときの網制御装置と無線装置親機との間の信号路を電極９，１１によって形成するようにしたが、図９に示す如く、この電極９，１１に代って窓５１，５３を設け、この窓を通した光による信号路としてもよい。すなわち、図９の構成例では、網制御装置のインタフェース回路１７の入出力段には窓５１近傍にフォトダイオード５５およびフォトトランジスタ５７がそれぞれ設けられ、また無線装置親機のインタフェース回路１９の入出力段には窓５３近傍にフォトトランジスタ５７に対向してフォトダイオード５９およびフォトダイオード５５に対向してフォトトランジスタ６１がそれぞれ設けられている。そして、網制御装置のインタフェース回路１７より送信される情報は、フォトダイオード５５より出力され、窓５１，５３を介してフォトトランジスタ６１に入力され、無線装置親機のインタフェース回路１９で受信される。また、無線装置親機のインタフェース回路１９より送信される情報は、フォトダイオード５９より出力され、窓５１，５３を介してフォトトランジスタ５７に入力され、網制御装置のインタフェース回路１７にて受信されるのである。
【００２９】
したがって、このような光による信号路を形成することで、絶縁性および高耐雷性を向上することができる。
【００３０】
なお、図９において、６３および６５は、それぞれ窓５１および５３に設けられ、窓５１および５３の開口を覆う透明体である。
【００３１】
【発明の効果】
以上、説明したように、請求項１乃至２記載の発明によれば、網制御装置と無線装置親機を別体にて構成する一方、互いに結合して一体化可能としたことで、電話回線が変更されても網制御装置だけを新たに交換すればよいので、電話回線の変更に伴う網制御装置の交換を無線装置親機に何ら影響を与えることなく容易に行なうことができる。
【００３２】
また、請求項３乃至４記載の発明によれば、網制御装置および無線装置親機を結合して一体化することで、自動的に両装置間の信号路が形成されるので、網制御装置と無線装置親機の設置作業を簡単化でき、また設置スペースを従来に比べて縮小することができる。
【図面の簡単な説明】
【図１】本発明の第１の実施の形態に係る電話回線利用端末システムの構成を示す図である。
【図２】本発明の第１の実施の形態に係る電話回線利用端末システムの構成を示す図である。
【図３】網制御装置と無線装置親機を一体化した状態でのデータ送信時の回路状態を示す図である。
【図４】本発明の第２の実施の形態に係る電話回線利用端末システムの構成を示す図である。
【図５】本発明の第２の実施の形態に係る電話回線利用端末システムの構成を示す図である。
【図６】本発明の第２の実施の形態に係る電話回線利用端末システムの構成を示す図である。
【図７】本発明の第３の実施の形態に係る電話回線利用端末システムの構成を示す図である。
【図８】本発明の第３の実施の形態に係る電話回線利用端末システムの構成を示す図である。
【図９】網制御装置と無線装置親機との間の別の信号路の構成を示す図である。
【符号の説明】
１，３１  凸部
３，３３，４１  網制御装置
５，３５  凹部
７，３７，４３  無線装置親機
９，１１  電極
１３，１５  モジュラジャック
１７，１９  インタフェース回路
２１  第１のフォトカプラ
２３  第２のスイッチ
２５  第１のスイッチ
２７  第２のフォトカプラ
３０，３４  ねじ部
４５  空間
４７  蓋
５１，５３  窓
５５，５９  フォトダイオード
５７，６１  フォトトランジスタ
６３，６５  透明体
【図１】
0003708717.tif 000002
【図２】
0003708717.tif 000003
【図３】
0003708717.tif 000004
【図４】
0003708717.tif 000005
【図５】
0003708717.tif 000006
【図６】
0003708717.tif 000007
【図７】
0003708717.tif 000008
【図８】
0003708717.tif 000009
【図９】
0003708717.tif 000010